(57)【要約】この出願の実施形態は、電気的接続の技術分野に関し、そして、スプリングを提供する。嵌合部品は、任意の側方向でスプリングの中へ挿入され、かつ、スプリングに対して弾性的に接続され得る。そうして、嵌合部品の取付け及び取外しのシーケンスを自由に選択することができる。本スプリングは、連続して配置された取付ブラケットおよびコンタクト部を含む。コンタクト部は、少なくとも３つの弾性制限アームを使用して取付ブラケットに対して接続されており、そして、少なくとも３つの弾性制限アームは、コンタクト部の一つの端部において、かつ、取付ブラケットの近くで、等間隔に配置されている。この出願は、端末の内側でカメラの接地接続について適用される。
2019515447.tif 000002
【特許請求の範囲】
【請求項１】
第１方向において連続して配置された取付ブラケットおよびコンタクト部を含む、スプリングであって、
前記コンタクト部は、少なくとも３つの弾性制限アームを使用して前記取付ブラケットに対して接続されており、
前記少なくとも３つの弾性制限アームは、前記コンタクト部の一つの端部において、かつ、前記取付ブラケットの近くで、等間隔に配置されている、
スプリング。
【請求項２】
４つの弾性制限アームを有し、
前記４つの弾性制限アームは、
対向して配置されている第１弾性制限アームおよび第２弾性制限アーム、および、
対向して配置されている第３弾性制限アームおよび第４弾性制限アーム、
を含む、請求項１に記載のスプリング。
【請求項３】
前記第１弾性制限アーム及び／又は前記第２弾性制限アームの２つの端部は、それぞれ前記コンタクト部および前記取付ブラケットに対して固定的に接続されており、
前記第３弾性制限アームおよび前記第４弾性制限アームは、前記コンタクト部の一つの端部、かつ、前記取付ブラケットの近くから延びており、
翼部が、前記第３弾性制限アームおよび前記第４弾性制限アームが延びる方向において配置されており、
前記翼部は、前記取付ブラケットに固定されており、
前記第３弾性制限アームおよび前記第４弾性制限アームの後端は、前記翼部の内側壁に対して押圧しており、かつ、
嵌合部品が、前記スプリングの中へ挿入され、かつ、前記コンタクト部に対して弾性的に接続される際に、前記第３弾性制限アームおよび前記第４弾性制限アームの後端は、前記取付ブラケットに近づく方向において前記翼部の内側壁に沿って摺動することができる、
請求項２に記載のスプリング。
【請求項４】
前記第１弾性制限アームは、
前記コンタクト部の一つの端部、かつ、前記取付ブラケットの近くから前記第１弾性制限アームが延びた後で形成される第１弾性セグメント、
前記取付ブラケットに近づく方向において前記第１弾性セグメントの後端から前記第１弾性制限アームが反対に屈曲された後で形成される第１歪みセグメント、および、
前記第１弾性セグメントが延びる方向と反対方向において前記第１歪みセグメントの後端から前記第１弾性制限アームが延びた後で形成される第１支持セグメント、
を含み、
前記第１支持セグメントの後端は、前記取付ブラケットに対して接続されている、
請求項２または３に記載のスプリング。
【請求項５】
前記第２弾性制限アームは、
前記コンタクト部の一つの端部、かつ、前記取付ブラケットの近くから前記第２弾性制限アームが延びた後で形成される第２弾性セグメント、
前記取付ブラケットに近づく方向において前記第２弾性セグメントの後端から前記第２弾性制限アームが反対に屈曲された後で形成される第２歪みセグメント、および、
前記第２弾性セグメントが延びる方向と反対方向において前記第２歪みセグメントの後端から前記第２弾性制限アームが延びた後で形成される第２支持セグメント、
を含み、
前記第２支持セグメントの後端は、前記取付ブラケットに対して接続されている、
請求項３に記載のスプリング。
【請求項６】
前記第２支持セグメントの一つの端部であり、かつ、前記第２歪みセグメントに対して接続されている該一つの端部は、固定されており、かつ、他の端部は、前記コンタクト部から離れる方向に向かって傾斜しており、
摺動部が、前記第２支持セグメントの一つの端部において、かつ、前記第２支持セグメントから離れて、固定されており、
前記第２弾性セグメントが延びる方向と反対方向に延びるシューターが、前記翼部に配置されており、
前記摺動部が、前記シューターの開始端において嵌合されており、かつ、
前記嵌合部品が、前記スプリングの中へ挿入され、かつ、前記コンタクト部に対して弾性的に接続される際に、前記摺動部は、前記シューターの末端に近づく方向において前記シューターに沿って摺動することができる、
請求項５に記載のスプリング。
【請求項７】
前記シューターの開始端は、固定されており、かつ、
前記シューターの末端は、前記コンタクト部から離れる方向に向かって傾斜している、
請求項６に記載のスプリング。
【請求項８】
前記摺動部上にあり、かつ、前記シューターの内壁に接する表面は、円弧面である、
請求項６に記載のスプリング。
【請求項９】
前記コンタクト部に対して接続された前記第３弾性制限アームおよび前記第４弾性制限アームの端部は、固定されており、かつ、
他の端部は、前記取付ブラケットに近づく方向に向かって傾斜している、
請求項３に記載のスプリング。
【請求項１０】
前記第１弾性セグメントの一つの端部であり、かつ、前記コンタクト部に対して接続されている該一つの端部は、固定されており、かつ、
他の端部は、前記取付ブラケットに近づく方向に向かって傾斜している、
請求項４に記載のスプリング。
【請求項１１】
前記第２弾性セグメントの一つの端部であり、かつ、前記コンタクト部に対して接続されている該一つの端部は、固定されており、かつ、
他の端部は、前記取付ブラケットに近づく方向に向かって傾斜している、
請求項５に記載のスプリング。
【請求項１２】
前記第１方向における前記翼部の後端は、制限部を形成するように前記コンタクト部に近づく方向において屈曲されている、
請求項３に記載のスプリング。
【請求項１３】
前記コンタクト部に対して接続された前記第３弾性制限アームおよび前記第４弾性制限アームの端部は、固定されており、
他の端部は、前記取付ブラケットに近づく方向に向かって傾斜しており、
前記第３弾性制限アームおよび前記第４弾性制限アームの他の端部は、フック形状部を形成するように前記制限部に近づく方向において屈曲されており、かつ、
前記フック形状部の表面であり、かつ、前記制限部近傍の表面は、前記制限部の表面にフィットする、
請求項１２に記載のスプリング。
【請求項１４】
前記コンタクト部上にあり、かつ、前記取付ブラケットから離れた面は、凸球面である、
請求項１に記載のスプリング。
【請求項１５】
前記スプリングは、スタンピング成形法を使用して一体成形されている、
請求項１に記載のスプリング。
【請求項１６】
端末本体およびカメラを含む、端末であり、
取付け溝が、前記端末本体において形成されており、
前記カメラが、前記取付け溝の内側に装着され、
スプリングが、前記取付け溝の一方の側に配置されており、
該スプリングは、請求項１乃至１５いずれか一項に記載のスプリングであり、
前記スプリングの取付ブラケットが、前記端末本体において固定されており、かつ、
前記スプリングの接触部が、前記カメラの側壁を押圧している、
端末。
【発明の詳細な説明】
【技術分野】
【０００１】
本発明は、端末技術（terminal  technologies）に関する。そして、特には、スプリング（spring）と端末に関する。
【０００２】
本特許出願は、２０１６年１２月２６日付で中国特許庁に提出された中国特許出願第201611220996.2号に基づく優先権を主張するものである。タイトルは” SCRATCH-PROOF  SPRING”であり、その全体がここにおいて参照により包含されている。
【背景技術】
【０００３】
電子製品の機能の増加および電子製品のセキュリティ性能について人々からの要求が高まるにつれて、電子製品システムにおいて、回路基板をいくつかの他の電子部品に対して接続するように構成された特別な機能を有しているスプリングが広く適用されている。
【０００４】
例えば、図１は、従来技術において提供されるスプリング（spring）である。図１を参照すると、スプリング01は、回路基板に溶接された取付ブラケット011と、取付ブラケット011の一方の側に配置されたコンタクト部012とを含んでいる。弾性制限アーム（elastic  limiting  arm）013が、コンタクト部012の下端と取付ブラケット011との間に配置されている。電子部品とスプリング01との間の弾性的な接続を促進するために、電子部品は、たいていスプリング01の中へ順方向に挿入されており（すなわち、コンタクト部012の一方の側から、かつ、取付ブラケット011から離れて、コンタクト部012に近づく方向であり、詳細については、図１における方向ａを参照のこと）、そして、スプリング01に対して弾性的に接続されている。しかしながら、それが不都合であり、または、電子部品をスプリング01の中へ順方向（forward  direction）に挿入するための十分なスペースがない場合には、電子部品が、スプリング01の中へ側方向（side  direction）に挿入されることを要し（すなわち、方向ａに対して垂直な方向であり、例えば、図１における一つの方向ｃである）、そして、スプリング01に対して弾性的に接続される。しかしながら、電子部品がスプリング01の中へ側方向に挿入される際に、スプリングの構造は、たいてい、電子部品が挿入される側方向について特別な要求を課している。例えば、図２は、図１に示されるスプリングが端末（terminal）の内側に取付けられた後に得られる模式的な構成図である。図２を参照すると、カメラ02を取付けるために使用される取付溝03が端末の内側に形成されており、取付溝03の一方の側にはスプリング01が固定され、そして、コンタクト部が取付溝03の中へ延びている。図３を参照すると、カメラ02は、取付溝03の中へスムーズに挿入され、そして、取付溝03の下方向（lower  direction）（すなわち、図１に示される一つの方向ｃ）に挿入されている場合だけ、スプリング01に対して弾性的に接続され得る。しかしながら、カメラ02が取付溝03の上方向（upper  direction）（図１における一つの方向ｂ）で取付溝03の中へ挿入される際に、コンタクト部012は恐らく下方へ動き、弾性制限アーム013が弾性限界の変形または亀裂を生じ、そして、スプリング01が変形した後に生成された折り返しエッジ（turnup  edge）がカメラ02にかき傷をつける恐れがある。
【０００５】
上記の問題を解決するために、先行技術は別のスプリングを提供している。図４に示すように、スプリング001は、回路基板に溶接された取付ブラケット0011と、取付ブラケット0011の一方に置かれたコンタクト部0012とを含んでいる。第１弾性制限アーム0013が、コンタクト部0012の上端と取付ブラケット0011との間に配置されており、第２弾性制限アーム0014が、コンタクト部0012の下端と取付ブラケット0011との間に配置されている。図５は、図２に示される端末の内側のスプリング01が図４に示されるスプリング001と置き換えられた後の模式的な構成図である。図６（ａ）と図６（ｂ）に示されるように、第１弾性制限アーム0013および第２弾性制限アーム0014の制限機能のおかげで、カメラ02は、取付溝03の上方向または下方向のいずれにおいても取付溝03の中へスムーズに挿入され得る。しかしながら、カメラが、スプリング001の別の側方向（例えば、図４に示される一つの方向ｄまたは一つの方向ｅ）で取付溝03の中へ挿入され、そして、スプリング001に対して弾性的に接続される際に、スプリング001は、また、弾性限界の変形または亀裂を生じ、そして、スプリング01が変形した後に生成された折り返しエッジがカメラ02にかき傷をつける恐れもある。
【０００６】
上記の説明に基づいて、図１および図４に示される両方のスプリングは、電子部品が挿入される側方向について特別な要求を課しており、そして、従って、電子部品の取付け及び取外しのシーケンスについて要求を課している。その結果として、電子部品の取付け及び取外しの効率と歩留まりが低減されてしまう。
【発明の概要】
【０００７】
この出願の実施形態は、スプリングと端末を提供する。嵌合部品（fitting  component）は、任意の側方向でスプリングの中へ挿入され得る。そうして、嵌合部品の取付け及び取外しのシーケンスを自由に選択することができ、それによって、嵌合部品の取付け及び取外しの効率と歩留まりを改善している。
【０００８】
前述の目的を達成するために、本出願の実施形態は、以下の技術的ソリューションを使用する。
【０００９】
第１の態様に従って、この出願はスプリングを提供する。本スプリングは、第１方向において連続して配置された取付ブラケットおよびコンタクト部を含んでいる。ここで、コンタクト部は、少なくとも３つの弾性制限アームを使用して取付ブラケットに対して接続されている。そして、少なくとも３つの弾性制限アームは、コンタクト部の一つの端部において、かつ、取付ブラケットの近くで、等間隔に配置されている。
【００１０】
この出願のこの態様において提供されるスプリングにおいて、コンタクト部は、少なくとも３つの弾性制限アームを使用して取付ブラケットに対して接続されており、そして、少なくとも３つの弾性制限アームは、コンタクト部の一つの端部において、かつ、取付ブラケットの近くで、等間隔に配置されている。従って、少なくとも３つの弾性制限アームは、コンタクト部のいずれかの側方向における接触を制限することができ、コンタクト部のいずれかの側方向に嵌合部品が挿入される際にスプリングの弾性限界の変形や破れを防止することができる。そうして、嵌合部品の取付け及び取外しのシーケンスを自由に選択することができ、それによって、嵌合部品の取付け及び取外しの効率と歩留まりを改善している。
【００１１】
第１態様に係る第１の任意的な実施においては、４つの弾性制限アームが存在する。そして、４つの弾性制限アームは、対向して配置されている第１弾性制限アームおよび第２弾性制限アーム、および、対向して配置されている第３弾性制限アームおよび第４弾性制限アーム、を含む。４つの弾性制限アームが存在している。従って、制限の安定性が高く、そして、配置される弾性制限アームの量が少なく、かつ、コストが低い。
【００１２】
第１態様に係る第２の任意的な実施において、第１弾性制限アーム及び／又は第２弾性制限アームの２つの端部は、それぞれコンタクト部および取付ブラケットに対して固定的に接続されている。第３弾性制限アームおよび第４弾性制限アームは、コンタクト部の一つの端部、かつ、取付ブラケットの近くから延びており、翼部が、第３弾性制限アームおよび第４弾性制限アームが延びる方向において配置されている。翼部は、取付ブラケットに固定されており、第３弾性制限アームおよび第４弾性制限アームの後端が、翼部の内側壁に対して押圧している。そして、嵌合部品が、スプリングの中へ挿入され、かつ、コンタクト部に対して弾性的に接続される際に、第３弾性制限アームおよび第４弾性制限アームの後端は、取付ブラケットに近づく方向において翼部の内側壁に沿って摺動することができる。従って、制限を実施しながら、スプリングの弾性を大きくすることができ、スプリングの側方向において嵌合部品が挿入する際に必要とされる挿入力を低減することができ、そして、挿入する困難性が低減される。
【００１３】
第１態様に係る第３の任意的な実施において、第１弾性制限アームは、コンタクト部の一つの端部、かつ、取付ブラケットの近くから前記第１弾性制限アームが延びた後で形成される第１弾性セグメント、取付ブラケットに近づく方向において第１弾性セグメントの後端から第１弾性制限アームが反対に屈曲された後で形成される第１歪みセグメント、および、第１弾性セグメントが延びる方向と反対方向において第１歪みセグメントの後端から第１弾性制限アームが延びた後で形成される第１支持セグメント、を含む。ここで、第１支持セグメントの後端は、取付ブラケットに対して接続されている。第１弾性制限アームの延長経路（extension  path）は反対に屈曲されており、そうして、取付ブラケットおよび翼部を含む構造体のボリュームを低減することができ、一方で、弾性アームの力を確保している。
【００１４】
第１態様に係る第４の任意的な実施において、第２弾性制限アームは、コンタクト部の一つの端部、かつ、取付ブラケットの近くから第２弾性制限アームが延びた後で形成される第２弾性セグメント、取付ブラケットに近づく方向において第２弾性セグメントの後端から第２弾性制限アームが反対に屈曲された後で形成される第２歪みセグメント、および、第２弾性セグメントが延びる方向と反対方向において第２歪みセグメントの後端から第２弾性制限アームが延びた後で形成される第２支持セグメント、を含む。ここで、第２支持セグメントの後端は、取付ブラケットに対して接続されている。第２弾性制限アームの延長経路は反対に屈曲されており、そうして、取付ブラケットおよび翼部を含む構造体のボリュームを低減することができ、一方で、弾性アームの力を確保している。
【００１５】
第１態様に係る第５の任意的な実施において、第２支持セグメントの一つの端部であり、かつ、第２歪みセグメントに対して接続されている一つの端部は、固定されており、かつ、他の端部は、コンタクト部から離れる方向に向かって傾斜している。摺動部が、第２支持セグメントの一つの端部において、かつ、第２支持セグメントから離れて、固定されている。第２弾性セグメントが延びる方向と反対方向に延びるシューター（chute）が、翼部に配置されており、摺動部が、シューターの開始端において嵌合されている。そして、嵌合部品が、スプリングの中へ挿入され、かつ、コンタクト部に対して弾性的に接続される際に、摺動部は、シューターの末端に近づく方向においてシューターに沿って摺動することができる。第２弾性制限アームが翼部に対してフレキシブルに接続されるように、摺動部がシューターに嵌合する。それによって、スプリングの弾性をさらに増加させ、スプリングの側方向において嵌合部品が挿入する際に必要とされる挿入力を低減し、そして、挿入する困難性を低減している。
【００１６】
第１態様に係る第６の任意的な実施において、シューターの開始端は、固定されており、かつ、シューターの末端は、コンタクト部から離れる方向に向かって傾斜している。弾性力が除去されるように、シューターの末端は、コンタクト部から離れる方向に向かって傾斜しており、それによって、コンポーネントがスプリングに対して弾性的に接続される際にスプリングが弾性限界変形を生じる可能性を低減している。
【００１７】
第１態様に係る第７の任意的な実施において、摺動部上にあり、かつ、シューターの内壁に接する表面は、円弧面である。このことは、シューターの中で摺動する際に、摺動部がスタックすることを防止している。
【００１８】
第１態様に係る第８の任意的な実施において、コンタクト部に対して接続された第３弾性制限アームおよび第４弾性制限アームの端部は、固定されており、かつ、他の端部は、取付ブラケットに近づく方向に向かって傾斜している。このようにして、嵌合部品が、コンタクト部の一方側であり、かつ、第３弾性制限アームまたは第４弾性制限アームに対して接続されている一方側からスプリングの中へ挿入され、かつ、コンタクト部に対して弾性的に接続される際に、第３弾性制限アームおよび第４弾性制限アームは、嵌合部品がスプリングの中へスムーズに挿入され、かつ、コンタクト部を押圧するのを助けることができる。
【００１９】
第１態様に係る第９の任意的な実施において、第１弾性セグメントの一つの端部であり、かつ、コンタクト部に対して接続されている一つの端部は、固定されており、かつ、他の端部は、取付ブラケットに近づく方向に向かって傾斜している。このようにして、嵌合部品が、コンタクト部の一方側であり、かつ、第１弾性セグメントに対して接続されている一方側からスプリングの中へ挿入され、かつ、コンタクト部に対して弾性的に接続される際に、第１弾性セグメントは、嵌合部品がスプリングの中へスムーズに挿入され、かつ、コンタクト部を押圧するのを助けることができる。
【００２０】
第１態様に係る第１０の任意的な実施において、第２弾性セグメントの一つの端部であり、かつ、コンタクト部に対して接続されている一つの端部は、固定されており、かつ、他の端部は、取付ブラケットに近づく方向に向かって傾斜している。このようにして、嵌合部品が、コンタクト部の一方側であり、かつ、第２弾性セグメントに対して接続されている一方側からスプリングの中へ挿入され、かつ、コンタクト部に対して弾性的に接続される際に、第２弾性セグメントは、嵌合部品がスプリングの中へスムーズに挿入され、かつ、コンタクト部を押圧するのを助けることができる。
【００２１】
第１態様に係る第１１の任意的な実施において、第１方向における翼部の後端は、制限部を形成するように、コンタクト部に近づく方向において屈曲されている。第３弾性制限アームおよび第４弾性制限アームの末端が、取付ブラケットから離れる方向で翼部の内側壁に沿って移動すること、および、内側壁から外れることを防止するようにである。これによって、第３弾性制限アームおよび第４弾性制限アームによるコンタクト部の制限の安定性を確保している。
【００２２】
第１態様に係る第１２の任意的な実施において、コンタクト部に対して接続された第３弾性制限アームおよび第４弾性制限アームの端部は、固定されており、他の端部は、取付ブラケットに近づく方向に向かって傾斜している。第３弾性制限アームおよび第４弾性制限アームの他の端部は、フック形状部を形成するように制限部に近づく方向において屈曲されており、かつ、フック形状部の表面であり、かつ、制限部近傍の表面は、制限部の表面にフィットする。制限部に係る制限の安定性を改善するように、フック形状部の表面は、制限部の表面にフィットしている。
【００２３】
第１態様に係る第１３の任意的な実施において、コンタクト部上にあり、かつ、取付ブラケットから離れた面は、嵌合部品と接触するために使用される。そして、嵌合部品がコンタクト部に対して弾性的に接続される際に、嵌合部品がコンタクト部によって傷付けられるのを防止するように、コンタクト部上にあり、かつ、取付ブラケットから離れた面は、凸球面である。
【００２４】
第１態様に係る第１４の任意的な実施において、スプリングは、スタンピング成形法を使用して一体成形されている。成形工程は、時間消費がより少なく、かつ、成形効率が高い。
【００２５】
第２態様に従って、この出願は、端末本体およびカメラを含む、端末を提供する。ここで、取付け溝が端末本体において形成されており、カメラが取付け溝の内側に装着され、スプリングが取付け溝の一方の側に配置されており、スプリングは前述の技術的ソリューションのうちいずれか１つである。スプリングの取付ブラケットが端末本体において固定されており、かつ、スプリングの接触部がカメラの側壁を押圧している。
【００２６】
この出願のこの実施態様において提供される端末において、端末の中のスプリングは前述の技術的ソリューションのうちいずれか１つにおけるスプリングであるから、取付け溝のすき間（aperture）であり、かつ、そこからカメラが取付け溝の中へと挿入されるすき間にもかかわらず、カメラとスプリングとの間の弾性的な接続を成功裡に実施することができる。そうして、カメラの取付け及び取外しのシーケンスを自由に選択することができ、それによって、嵌合部品の取付け及び取外しの効率と歩留まりを改善している。
【図面の簡単な説明】
【００２７】
以下は、実施形態または従来技術を説明するために必要とされる添付図面を簡単に説明している。
【図１】図１は、従来技術におけるスプリングの模式的な構成図である。
【図２】図２は、図１に示されるスプリングが取付けられた端末の断面の模式的な構成図である。
【図３】図３は、図２に示される端末においてスプリングによって許容され、かつ、カメラが挿入される側方向の模式的な図である。
【図４】図４は、従来技術における別のスプリングの模式的な構成図である。
【図５】図５は、図４に示されるスプリングが取付けられた端末の断面の模式的な構成図である。
【図６】図６（ａ）は、図５に示される端末においてスプリングによって許容され、かつ、カメラが挿入される第１側方向の模式的な図であり、図６（ｂ）は、図５に示される端末においてスプリングによって許容され、かつ、カメラが挿入される第２側方向の模式的な図である。
【図７】図７は、本願の一つの実施形態に従った、スプリングの模式的な構成図である。
【図８】図８は、本願の一つの実施形態に従った、スプリングの別の模式的な構成図である。
【図９】図９は、本願の一つの実施形態に従った、端末の断面の模式的な構成図である。
【図１０】図１０は、図９に示される端末においてスプリングによって許容され、かつ、カメラが挿入される第１側方向の模式的な図である。
【図１１】図１１は、図９に示される端末においてスプリングによって許容され、かつ、カメラが挿入される第２側方向の模式的な図である。
【図１２】図１２は、図９に示される端末においてスプリングによって許容され、かつ、カメラが挿入される第３側方向の模式的な図である。
【発明を実施するための形態】
【００２８】
以下に、この出願の実施形態における技術的ソリューションを、この出願の実施形態における添付図面を参照して説明する。
【００２９】
この出願の明細書において、用語「中央（”center”）」、「上（”up”）」、「下（”down”）」、「前（”front”）」、「後（”rear”）」、「左（”left”）」、「右（”right”）」、「垂直（”vertical”）」、「水平（”horizontal”）」、「上面（”top”）」、「底面（”bottom”）」、「内側（”inside”）」、「外側（”outside”）」、等によって指示される方向または位置関係は、添付の図面に示される方向または位置関係に基づくものであり、そして、この出願を説明し、かつ、説明を簡素化するように単に意図されている。しかし、装置またはコンポーネントが特定の方向を有し、または、特定の方向において形成され、かつ、操作されることを示し、もしくは、示唆するように意図されてはいない。そして、従って、この出願について限定として理解されてはならない。
【００３０】
この出願の説明において、用語「取付け（”mounting”）」および「接続（”connection”）」は、他に明示的に指定され、かつ、制限されない限り、広い意味で理解されるべきであり、例えば、固定接続であってよく、または、着脱可能な接続であってよく、もしくはコンタクト接続または一体的な接続であってよい。当業者であれば、この出願における上記の用語の特定の意味を、特定の状況に基づいて理解することができる。
【００３１】
この出願の一つの実施形態はスプリング10を提供する。図７または図８を参照すると、スプリング10は、第１方向において連続して配置された取付ブラケット1およびコンタクト部2を含んでいる。コンタクト部2は、少なくとも３つの弾性制限アーム3を使用して取付ブラケット1に対して接続されており、そして、少なくとも３つの弾性制限アーム3は、コンタクト部2の一つの端部において、かつ、取付ブラケット1の近くで、等間隔に配置されている。
【００３２】
この出願のこの実施形態で提供されるスプリング10において、コンタクト部2は、少なくとも３つの弾性制限アーム3を使用して取付ブラケット1に対して接続されており、そして、少なくとも３つの弾性制限アーム3は、コンタクト部2の一つの端部において、かつ、取付ブラケット1の近くで、等間隔に配置されている。従って、少なくとも３つの弾性制限アーム3は、コンタクト部2のいずれかの側方向における接触を制限することができ、コンタクト部2のいずれかの側方向に嵌合部品（fitting  component）が挿入される際にスプリング10の弾性限界の変形や破れを防止することができる。そうして、嵌合部品の取付け及び取外しのシーケンスを自由に選択することができ、それによって、嵌合部品の取付け及び取外しの効率と歩留まりを改善している。
【００３３】
前述の実施形態において、弾性制限アーム3の数は、３、４、５、６、等であってよい。これは、ここにおいて特には限定されるものでない。第１方向は、真上（”straight  up”）、真下（”straight  down”）、水平左（”horizontal  left”）、水平右（”horizontal  right”）、等であってよい。これは、ここにおいて特には限定されるものでない。加えて、この出願のこの実施形態で提供されるスプリング10は、端末装置（terminal  device）に適用され得るものであり、そして、特定的には、端末の内側でメインカメラのスチールカバーの接地処理（grounding  processing）およびアンテナ領域付近のコンポーネントの接地処理に適用され得る。確かに、この出願のこの実施形態で提供されるスプリング10は、さらに、別の電子デバイスに対して適用され得る。これは、ここにおいて特には限定されるものでない。
【００３４】
この出願のこの実施形態におけるスプリングにおいて、取付ブラケット1は、プレート構造（plate  structure）、ブロック構造（block  structure）、等であってよい。これは、ここにおいて特には限定されるものでない。任意的には、図７または図８に示されるように、取付ブラケット1は、プレート構造である。このことは、回路基板への溶接を促進している。
【００３５】
任意的には、図７または図８に示されるように、４つの弾性制限アーム3が存在する。４つの弾性制限アーム3は、対向して配置されている第１弾性制限アーム31および第２弾性制限アーム32、そして、対向して配置されている第３弾性制限アーム33および第４弾性制限アーム34を含んでいる。４つの弾性制限アームは、コンタクト部2の４つの側方向においてコンタクト部2を制限する。従って、制限の安定性が高く、そして、配置される弾性制限アームの量が比較的に少なく、かつ、製造の困難性が比較的に低い。
【００３６】
任意的には、図７または図８に示されるように、第１弾性制限アーム31及び／又は第２弾性制限アーム32の２つの端部は、それぞれコンタクト部2および取付ブラケット1に対して固定的に接続されており、そして、第３弾性制限アーム33と第４弾性制限アーム34は、コンタクト部2の一つの端部、かつ、取付ブラケット1の近くから延びている。翼部（alar  parts）11が第３弾性制限アーム33および第４弾性制限アーム34が延びる方向において配置されており、翼部11は取付ブラケット1に固定されており、そして、第３弾性制限アーム33および第４弾性制限アーム34の後端（rear  end）が翼部11の内側壁（inner  side  wall）に対して押圧している。スプリング10の中に嵌合部品が挿入され、かつ、コンタクト部2に対して弾性的に接続される際に、第３弾性制限アーム33および第４弾性制限アーム34の後端は、取付ブラケット1に近づく方向において翼部11の内側壁に沿って摺動することができる。従って、スプリング10の中への側方向の挿入を制限しながら、スプリング10の弾性を大きくすることができ、スプリング10の側方向において嵌合部品が挿入する際に必要とされる挿入力を低減することができ、そして、嵌合部品が挿入する困難性が低減される。
【００３７】
任意的に、図８を参照すると、第１弾性制限アーム31は、コンタクト部2の一つの端部、かつ、取付ブラケット1の近くから第１弾性制限アーム31が延びた後で形成される第１弾性セグメント311、取付ブラケット1に近づく方向において第１弾性セグメント311の後端から第１弾性制限アーム31が反対に屈曲された後で形成される第１歪みセグメント312、および、第１弾性セグメント311が延びる方向と反対方向において第１歪みセグメント312の後端から第１弾性制限アーム31が延びた後で形成される第１支持セグメント313、を含んでいる。第１支持セグメント313の後端は、取付ブラケット1に対して接続されている。従って、第１弾性制限アーム31の延長経路（extension  path）は反対に屈曲されており、そうして、第１弾性セグメント311が延びる方向における取付ブラケット1および翼部11を含む構造体の高さが低減され、一方で、スプリング10に係る弾性アームの力を確保している（すなわち、図９に示される、距離Ｌ１であり、嵌合部品がコンタクト部2に対して弾性的に接続される際に、第１歪みセグメント312の屈曲点からコンタクト部2上に作用する力Ｆの作用線（action  line）までである）。それによって、取付ブラケット1および翼部11を含む構造体のボリュームを低減しており、かつ、小型の電子機器の内側でのスプリング10の取付けを促進している。
【００３８】
任意的に、図８を参照すると、第２弾性制限アーム32は、コンタクト部2の一つの端部、かつ、取付ブラケット1の近くから第２弾性制限アーム32が延びた後で形成される第２弾性セグメント321、取付ブラケット1に近づく方向において第２弾性セグメント321の後端から第２弾性制限アーム32が反対に屈曲された後で形成される第２歪みセグメント322、および、第２弾性セグメント321が延びる方向と反対方向において第２歪みセグメント322の後端から第２弾性制限アーム32が延びた後で形成される第２支持セグメント323、を含んでいる。第２支持セグメント323の後端は、取付ブラケット1に対して接続されている。従って、第２弾性制限アーム32の延長経路は反対に屈曲されており、そうして、第２弾性セグメント321が延びる方向における取付ブラケット1および翼部11を含む構造体の高さが低減され、一方で、スプリング10に係る弾性アームの力を確保している（図９に示される、距離Ｌ２であり、嵌合部品がコンタクト部2に対して弾性的に接続される際に、第２歪みセグメント322の屈曲点からコンタクト部2上に作用する力Ｆの作用線までである）。それによって、取付ブラケット1および翼部11を含む構造体のボリュームを低減しており、かつ、小型の電子機器の内側でのスプリング10の取付けを促進している。
【００３９】
第２支持セグメント323の後端と取付ブラケット1との間の接続を実施するために、可能な実施形態においては、図７または図８を参照すると、第２支持セグメント323の一つの端部であり、かつ、第２歪みセグメント322に対して接続されている一つの端部が、固定されており、そして、他の端部は、コンタクト部2から離れる方向に向かって傾斜している。摺動部4は、第２支持セグメント323の一つの端部において、かつ、第２支持セグメント323から離れて、固定されている。そして、第２弾性セグメント321が延びる方向と反対方向に延びるシューター（chute）7が翼部11に配置されており、かつ、摺動部4がシューター7の開始端（start  end）において嵌合されている。スプリング10の中へ嵌合部品が挿入され、かつ、コンタクト部に対して弾性的に接続される際に、摺動部4は、シューター7の末端に近づく方向においてシューター7に沿って摺動することができる。従って、スプリング10の中へ嵌合部品が挿入される際に、第２弾性制限アーム32の一つの端部であり、かつ、取付ブラケット1に対して接続されている一つの端部は、シューター7の末端に近づく方向においてシューター7に沿って摺動することができ、そうして、スプリング10の中へ嵌合部品を挿入する際に生じる抵抗が低減される。それによって、スプリング10の弾性を増加し、嵌合部品を挿入する困難性を低減し、かつ、スプリング10が弾性限界変形を生じる可能性を低減している。
【００４０】
任意的に、図７または図８を参照すると、シューター7の開始端は固定されており、そして、シューター7の末端はコンタクト部2から離れる方向に向かって傾斜している。従って、嵌合部品がスプリング10に対して弾性的に接続される際に、摺動部4は、シューター7の末端に近づく方向においてシューター7に沿って摺動しながら、コンタクト部2から離れる方向に後退することができる。そうして、スプリング10の弾性力が除去され、それによって、嵌合部品がスプリング10に対して弾性的に接続される際にスプリング10が弾性限界変形を生じる可能性を低減している。
【００４１】
任意的に、図７を参照すると、摺動部4上にあり、かつ、シューター7の内壁に接する表面は円弧面（arc  surface）である。摺動部4がシューター7の中でスタックすることを防止するように、円弧面のスムーズな性能が好都合である。
【００４２】
上記の実施形態において、摺動部4は、円筒状であってよく、または、図７に示される円弧状であってよく、または、別の形状であってもよい。摺動部4上にあり、かつ、シューター7の内壁に接する表面が円弧面であれば、これは、ここにおいて特には限定されるものでない。
【００４３】
任意的に、図７を参照すると、コンタクト部2に対して接続された第３弾性制限アーム33および第４弾性制限アーム34の端部は固定されており、そして、他の端部は取付ブラケット1に近づく方向に向かって傾斜している。このようにして、嵌合部品が、コンタクト部2の一方側であり、かつ、第３弾性制限アーム33または第４弾性制限アーム34に対して接続されている一方側からスプリング10の中へ挿入され、かつ、コンタクト部2に対して弾性的に接続される際に、第３弾性制限アーム33および第４弾性制限アーム34は、嵌合部品がスプリング10の中へスムーズに挿入され、かつ、コンタクト部2を押圧するのを助けることができる。嵌合部品がコンタクト部2の一方側であり、かつ、第３弾性制限アーム33または第４弾性制限アーム34に対して接続されている一方側から挿入される困難性を低減するためである。
【００４４】
任意的に、図８を参照すると、第１弾性セグメント311の一つの端部であり、かつ、コンタクト部2に対して接続されている一つの端部は固定されており、そして、他の端部は取付ブラケット1に近づく方向に向かって傾斜している。このようして、嵌合部品が、コンタクト部2の一方側であり、かつ、第１弾性制限アーム31に対して接続されている一方側からスプリング10の中へ挿入され、かつ、コンタクト部2に対して弾性的に接続される際に、第１弾性制限アーム31は、嵌合部品がスプリング10の中へスムーズに挿入され、かつ、コンタクト部2を押圧するのを助けることができる。嵌合部品がコンタクト部2の一方側であり、かつ、第１弾性制限アーム31に対して接続されている一方側から挿入される困難性を低減するためである。
【００４５】
任意的に、図８を参照すると、第２弾性セグメント321の一つの端部であり、かつ、コンタクト部2に対して接続されている一つの端部は固定されており、そして、他の端部は取付ブラケット1に近づく方向に向かって傾斜している。このようして、嵌合部品が、コンタクト部2の一方側であり、かつ、第２弾性制限アーム32に対して接続されている一方側からスプリング10の中へ挿入され、かつ、コンタクト部2に対して弾性的に接続される際に、第２弾性制限アーム32は、部品がスプリング10の中へスムーズに挿入され、かつ、コンタクト部2を押圧するのを助けることができる。嵌合部品がコンタクト部2の一方側であり、かつ、第２弾性制限アーム32に対して接続されている一方側から挿入される困難性を低減するためである。
【００４６】
任意的に、図８を参照すると、第１方向における翼部11の後端は、制限部5を形成するようにコンタクト部2に近づく方向において屈曲されている。この場合に、嵌合部品が、コンタクト部2の一方側であり、かつ、第３弾性制限アーム33または第４弾性制限アーム34に対して接続されている一方側からスプリング10の中へ挿入される際に、制限部5は、第３弾性制限アーム33および第４弾性制限アーム34の末端が翼部11の内側壁から外れることを防止することができる。それによって、第３弾性制限アーム33および第４弾性制限アーム34によるコンタクト部2の制限の安定性がある。
【００４７】
任意的に、図８を参照すると、コンタクト部2に対して接続された第３弾性制限アーム33および第４弾性制限アーム34の端部は固定されており、他の端部は取付ブラケット1に近づく方向に向かって傾斜している。そして、第３弾性制限アーム33および第４弾性制限アーム34の他の端部は、フック形状部6を形成するように制限部5に近づく方向において屈曲されている。フック形状部6の表面であり、かつ、制限部5近傍の表面は、制限部5の表面にフィットする。制限部5による第３弾性制限アーム33および第４弾性制限アーム34の末端を制限する安定性が改善されるように、フック形状部6の表面は制限部5の表面にフィットしている。
【００４８】
任意的に、図７または図８を参照すると、コンタクト部2上にあり、かつ、取付ブラケット1から離れた側面は、嵌合部品と接触するために使用されている。そして、コンタクト部2上にあり、かつ、取付ブラケット1から離れた面は、凸球面（convex  spherical  surface）である。嵌合部品がスプリング10の中へコンタクト部2のいずれかの側方向において挿入され、かつ、コンタクト部2に対して弾性的に接続される際に、嵌合部品がコンタクト部2によって傷付けられるのを防止するように、凸球面の表面はスムーズである。
【００４９】
特定的に、図８を参照すると、コンタクト部2は、支持板21と、支持板21においてスタンピング（stamping）によって成形された凸球面ハウジング22とを含んでよい。
【００５０】
任意的に、スプリング10はスタンピング成形法を使用して一体成形されており、一体成形工程は単純であり、かつ、時間消費がより少ない。そして、成形効率が比較的に高い。
【００５１】
図９は、この出願の一つの実施形態に従った端末（terminal）である。図９を参照すると、端末は、端末本体20およびカメラ30を含んでいる。取付け溝40が端末本体において形成されており、カメラ30が取付け溝40の内側に装着され、そして、スプリング10が取付け溝40の一方の側に配置されている。スプリング10は、前述の技術的ソリューションのうちいずれか１つにおけるスプリング10であり、スプリング10の取付ブラケットが端末本体20において固定されており、そして、スプリング10の接触部がカメラ30の側壁を押圧している。
【００５２】
この出願のこの実施形態において提供される端末は、端末の中のスプリングが前述の技術的ソリューションのうちいずれか１つにおけるスプリングであるため、取付け溝のすき間（aperture）であり、かつ、そこからカメラが取付け溝の中へと挿入されるすき間にもかかわらず、カメラとスプリングとの間の弾性的な接続を成功裡に実施することができる。例えば、図１０から図１２までを参照すると、スプリング10における４つの弾性制限アームの制限機能のおかげで、カメラ30を、取付け溝40の中へ成功裡に挿入することができ、そして、取付け溝40の上部すき間（図１０に示されるもの）、取付け溝40の下部すき間（図１１に示されるもの）、および、取付け溝40の後部すき間（図１２に示されるもの）から、スプリング10に対して弾性的に接続することができる。そうして、カメラ30の取付け及び取外しのシーケンスを自由に選択することができ、それによって、嵌合部品の取付け及び取外しの効率と歩留まりを改善している。
【００５３】
この明細書の説明において、特定的な特徴、構造、材料、または特性は、実施形態または実施例のいずれか１つまたはそれ以上において適切な方法で組み合わせることができる。
【００５４】
最後に、前述の実施形態は、この出願の技術的ソリューションをただ単に説明するように意図されたものであって、この出願を限定するものではないことに留意すべきである。この出願は、前述の実施形態を参照して詳細に説明されているが、当業者であれば、前述の実施形態において説明された技術的ソリューションをなおも変更することができ、または、この出願の実施形態の技術的ソリューションの精神および範囲から逸脱することなく、それらのいくつかの技術的特徴に対して均等な置換えを成すことができる。
【図１】
2019515447.tif 000003
【図２】
2019515447.tif 000004
【図３】
2019515447.tif 000005
【図４】
2019515447.tif 000006
【図５】
2019515447.tif 000007
【図６（ａ）】
2019515447.tif 000008
【図６（ｂ）】
2019515447.tif 000009
【図７】
2019515447.tif 000010
【図８】
2019515447.tif 000011
【図９】
2019515447.tif 000012
【図１０】
2019515447.tif 000013
【図１１】
2019515447.tif 000014
【図１２】
2019515447.tif 000015
【国際調査報告】
2019515447.tif 000016
2019515447.tif 000017
2019515447.tif 000018
2019515447.tif 000019